(57)【要約】【課題】繰り返し使用による切損等の破損を防止し、長時間の使用でも防水性を維持可能な、高いシール性と高耐久性を両立可能な携帯電話筐体用密封小蓋構造を提供する。【解決手段】携帯電話の筐体１に形成されたコネクタ用開口部11を密封状に施蓋するための小蓋本体部21と、筐体１に接続される可撓性の薄板状のヒンジ部22と、小蓋本体部21の裏面21ｂ側に突設され外周面にＯリング30が嵌着されるシール用の環状凹溝23ｄを有する内突隆部23と、を熱可塑性エラストマー樹脂で一体成形する際に、上記内突隆部23の内部に硬質骨材29をインサート成形した。【選択図】図５
2011244247.tif 000002
【特許請求の範囲】
【請求項１】
携帯電話の筐体（１）に形成されたコネクタ用開口部（11）を密封状に施蓋するための小蓋本体部（21）と、上記筐体（１）に接続される可撓性の薄板状のヒンジ部（22）と、上記小蓋本体部（21）の裏面（21ｂ）側に突設され外周面にＯリング（30）が嵌着されるシール用の環状凹溝（23ｄ）を有する内突隆部（23）と、を熱可塑性エラストマー樹脂で一体成形する際に、上記内突隆部（23）の内部に硬質骨材（29）をインサート成形したことを特徴とする携帯電話筐体用密封小蓋構造。
【請求項２】
上記小蓋本体部（21）の表て面（21ａ）側に、二液硬化型塗料層を具備する請求項１記載の携帯電話筐体用密封小蓋構造。
【請求項３】
上記熱可塑性エラストマー樹脂は、ポリウレタン系エラストマー樹脂又はポリエステル系エラストマー樹脂から成る請求項１又は２記載の携帯電話筐体用密封小蓋構造。
【請求項４】
上記硬質骨材（29）は、ポリカーボネート、又は、金属、又は、フィラー入り樹脂から成る請求項１，２又は３記載の携帯電話筐体用密封小蓋構造。
【発明の詳細な説明】
【技術分野】
【０００１】
本発明は、携帯電話筐体用密封小蓋構造に関する。
【背景技術】
【０００２】
一般に、携帯電話には、充電器用、イヤホン・マイク用、データ通信ケーブル用等のコネクタ部や、メモリーカード等の小型記憶媒体が抜き差しされるコネクタ部が、携帯電話の筐体に形成されたコネクタ用開口部を介して他の機器と接続可能に設けられている。そして、これらのコネクタ部を保護するためにコネクタ用開口部を施蓋する密封小蓋（キャップ）が設けられている（例えば、特許文献１参照）。
【先行技術文献】
【特許文献】
【０００３】
【特許文献１】特開２００２−９９１１号公報
【発明の概要】
【発明が解決しようとする課題】
【０００４】
最近、携帯電話は、様々な場所で使用可能にするため、防水構造が開発・提案されており、密封小蓋にシール（防水）性を望む強い要望がある。そこで、密封小蓋にＯリングを付設し、密封小蓋とコネクタ用開口部の間をシールする構造が知られている。
また、携帯電話は、デジタルカメラや、テレビ、ミュージックプレイヤー等多機能化しているため、他の機器と接続することが多く、密封小蓋の開閉頻度が増大する傾向にあり、密封小蓋に耐久性や強度が望まれている。
【０００５】
しかし、従来は、図７（ａ）に示すように、携帯電話の筐体60のコネクタ用開口部61を覆う小蓋本体部91と、筐体60に接続されるヒンジ部92と、を軟質樹脂で一体成形し、小蓋本体部91の裏面91ｂ側の内突隆部93にシール用のＯリング80を装着して、コネクタ部63への浸水を防止する構造であるが、図７（ｂ）に示すように、クリープ現象等によって、内突隆部93内方への力Ｆが働き、長時間経過すると、内突隆部93が縮径して、Ｏリング80とコネクタ用開口部61の内周面61ａの間に隙間Ｓが生じて、シール性能が低下し水等の液体Ｗがコネクタ部63側へ浸入するという問題があった。
【０００６】
また、図８（ａ）に示すように、小蓋本体部91を硬質樹脂とし、ヒンジ部92を軟質樹脂として二色成形した構造の場合は、開閉を繰り返すと、図８（ｂ）に示すように、硬質樹脂と軟質樹脂の結合部Ｋで剥離が発生し、最終的に小蓋本体部91とヒンジ部92が分断してしまうという問題があった。
また、図示省略するが、小蓋本体部とヒンジ部とを硬質樹脂で一体成形した構造は、小蓋本体部とヒンジ部の結合等に応力集中や繰り返し応力が作用して疲労によるヒビや切損が発生する問題があった。また、小蓋本体部を薄肉に成型すると屈曲や欠けが発生してしまうという問題もあった。
つまり、従来の携帯電話筐体用密封小蓋構造では、シール（防水）性と耐久性の両方の要望を満足させることが非常に困難であった。
【０００７】
そこで、本発明は、繰り返し使用による切損等の破損を防止し、長時間の使用でも防水性を維持可能な、高いシール性と高耐久性を両立する携帯電話筐体用密封小蓋構造の提供を目的とする。
【課題を解決するための手段】
【０００８】
上記目的を達成するために、本発明の携帯電話端末筐体用密封小蓋構造は、携帯電話の筐体に形成されたコネクタ用開口部を密封状に施蓋するための小蓋本体部と、上記筐体に接続される可撓性の薄板状のヒンジ部と、上記小蓋本体部の裏面側に突設され外周面にＯリングが嵌着されるシール用の環状凹溝を有する内突隆部と、を熱可塑性エラストマー樹脂で一体成形する際に、上記内突隆部の内部に硬質骨材をインサート成形した構造である。
【０００９】
また、上記小蓋本体部の表て面側に、二液硬化型塗料層を具備する構造である。
また、上記熱可塑性エラストマー樹脂は、ポリウレタン系エラストマー樹脂又はポリエステル系エラストマー樹脂から成る。
また、上記硬質骨材は、ポリカーボネート、又は、金属、又は、フィラー入り樹脂から成る。
【発明の効果】
【００１０】
本発明によれば、小蓋本体部とヒンジ部とを二色成形せず、軟質の熱可塑性エラストマー樹脂で成形することで、材質の違いによる剥離や分離の虞れがなく十分な耐久性を得ることができる。また、硬質骨材によって、内突隆部の縮径（縮小）が防止され、液体の浸入を確実に長時間に渡って防止できる。また、小蓋本体部を薄肉に形成しても十分な強度を得ることができる。
【図面の簡単な説明】
【００１１】
【図１】本発明の実施の一形態を示す斜視図である。
【図２】密封小蓋の一例を表て面側から見た斜視図である。
【図３】密封小蓋の一例を裏面側から見た斜視図である。
【図４】密封小蓋の一例を示す断面斜視図である。
【図５】本発明の実施の一形態を示す断面図であり、（ａ）は側面断面図あり、（ｂ）は（ａ）の要部拡大断面図である。
【図６】図５のＡ−Ａ断面図である。
【図７】従来例を説明する断面図であり、（ａ）は側面断面図であり、（ｂ）は要部断面図である。
【図８】別の従来例を説明する断面図であり、（ａ）は側面断面図であり、（ｂ）は使用状態を説明する断面図である。
【発明を実施するための形態】
【００１２】
以下、図示の実施形態に基づき本発明を詳説する。
本発明の携帯電話筐体用密封小蓋構造は、図１に示すように、携帯電話の、充電器用、イヤホン・マイク用、データ通信ケーブル用等の接続部やメモリーカード等の小型記憶媒体が抜き差しされる抜差部等であるコネクタ部13を、塵等の異物や水等から保護するためのものである。
コネクタ部13を他の機器と接続可能に露出させるために筐体１に形成したコネクタ用開口部11と、開口部11に施蓋されコネクタ部13を塵等の異物や水等から保護すると共に筐体１の美観を維持する密封小蓋（キャップ）２と、を備えている。
【００１３】
図２乃至図６に於て、密封小蓋２は、筐体１のコネクタ用開口部11を施蓋状に覆う平面視矩形状の小蓋本体部21と、小蓋本体部21の一方の側縁部21ｅ近傍から突片状に設けられる薄板状の可撓性のヒンジ部22と、小蓋本体部21の裏面21ｂ側（施蓋状態でコネクタ部13側）に突設された平面視楕円乃至長円形状の内突隆部23と、小蓋本体部21の他方の側縁部21ｆ近傍から突設され開口部11近傍に形成された係止部15に施蓋状態の際に係止する係止爪部25と、を有している。また、ヒンジ部22は、先端に、筐体１に常時接続され、筐体１に形成された係合孔部12からの抜けを防止するカエリ突部（抜止突部）22ｄを有している。
【００１４】
内突隆部23は、コネクタ用開口部11の内周面11ａに密着する防水シール用のＯリング30が嵌着（装着）されるシール用の環状凹溝23ｄを外周面に有している。なお、図４に於ては、Ｏリング30は図示省略している。
【００１５】
密封小蓋２は、小蓋本体部21と、ヒンジ部22と、内突隆部23と、係止爪部25と、をポリウレタン系、又は、ポリエステル系等の熱可塑性エラストマー樹脂で一体状に樹脂成形している。なお、内突隆部23の外周壁部23ｇや小蓋本体部21の硬さ（硬度）を、適切な強度と可撓性を得るためにショアＤ40〜70（JIS-K7215)とするのが望ましい。
【００１６】
また、密封小蓋２は、内突隆部23の内部に、内突隆部23より硬い帯片状や棒状の硬質骨材29を有している。例えば、硬質骨材29は、ポリカーボネート、又は、フィラー入り樹脂、又は、金属等で形成している。また、硬質骨材29は、直方体状乃至楕円（長円）短柱状の基部29ａと、基部29ａからコネクタ部13側に突出する小突部29ｂと、を有し、段差面29ｃが形成された断面凸の字状に設けられている。硬質骨材29の硬さ（硬度）を、適切な強度を得るためにロックウェル硬さＭスケール70以上（ISO 2039-2）とするのが望ましい。
【００１７】
そして、小蓋本体部21等を熱可塑性エラストマー樹脂で樹脂成形する際に、金型のキャビティ内に、予め作成した硬質骨材29を設置し、その後、樹脂をキャビティ内に射出して成型するインサート成型によって、硬質骨材29を樹脂で抱き込み状にし、硬質骨材29を内突隆部23の内部に一体化している（埋設状に設けている）。
インサート成型後に、硬質骨材29を内有する内突隆部23の環状凹溝23ｄにＯリング30を嵌着（装着）して密封小蓋２と成る。
【００１８】
また、密封小蓋２は、小蓋本体部21の表て面21ａ側及び、ヒンジ部22の表て面側を、二液硬化型塗料で塗装（着色）して形成した、二液硬化型塗料層を具備している。二液硬化型塗料は、アクリルウレタン系の主剤とイソシアネート系の硬化剤を有するものである。
【００１９】
次に、本発明の携帯電話筐体用密封小蓋構造の作用（使用方法）について説明する。
図５に示すように、ヒンジ部22のカエリ突部22ｄを筐体１の係合孔部12に挿入し、密封小蓋２を筐体１に接続（取着）する。
環状凹溝23ｄにＯリング30が嵌着している内突隆部23を筐体１のコネクタ用開口部11内に押し込み、Ｏリング30をコネクタ用開口部11の内周面11ａに密着させ、係止爪部25を筐体１の係止部15に係止させると、密封小蓋２がコネクタ用開口部11を密封状に施蓋する。
【００２０】
仮に、クリープ現象等により、図示の矢印に示すような内突隆部23内方への力Ｆが発生し、この力Ｆによって内突隆部23が縮径する（内方に縮む）と、Ｏリング30とコネクタ用開口部11の内周面11ａの間が離間し、隙間が形成され、水等の液体Ｗをコネクタ部13側に浸入させ故障等の原因となる。
【００２１】
しかし、本発明は、内突隆部23の内部に、硬質骨材29を有している（埋設してある）ので、力Ｆが作用する内突隆部23の外周壁部23ｇを内方側から支持して変形を防止し、常にＯリング30をコネクタ用開口部11の内周面11ａに密着させて液体Ｗの浸入を防ぎ、長時間の防水性を維持する。
【００２２】
また、小蓋本体部21とヒンジ部22を同じ材質で一体樹脂成型しているので、小蓋本体部21を繰り返し開閉して曲げ力等を受けても、ヒンジ部22の破損がない。また、軟質な熱可塑性エラストマー樹脂で一体成型することで、欠けや割れが防止されると共に、開閉する際の曲げやねじれによる応力集中や繰り返し応力が作用せず切断やちぎれ等の切損が防止される。特に、ヒンジ部22の基端部22ｂ側と小蓋本体部21の間の段差部やくびれ部等形状が変化し応力集中が発生するような箇所での耐久性が向上する。
【００２３】
また、係止爪部25と小蓋本体部21を同じ材質で一体樹脂成型しているので、係止・解除を繰り返しても、材質の違いによる剥離や分離の発生が防がれる。また、軟質な樹脂で一体成型することで、欠けや割れが防止されると共に、開閉する際の曲げやねじれによる応力集中が作用しにくく切損が防止される。
【００２４】
また、使用者が指や爪等で小蓋本体部21をめくるようにして、小蓋本体部21を開けようとする際に、硬質骨材29が小蓋本体部21の変形を防止して折損を防止する。また、小蓋本体部21の薄肉化（成型）を可能にする。また。内突隆部23に強度を持たせるために、肉厚を厚く形成する必要がなく、樹脂成型部分（小蓋本体部21、ヒンジ部22、内突隆部23、係止爪部25）のほとんどを、略均一な肉厚で成型できクリープ現象や歪みを軽減して寸法精度の高い密封小蓋２が得られる。
【００２５】
なお、本発明は設計変更可能であって、ヒンジ部22及び係止爪部25の形状や配置及び突出方向は自由である。また、小蓋本体部21や内突隆部23の平面視形状は、円形や矩形状等自由である。また、筐体１とヒンジ部22のカエリ突部22ｄとの係止・抜け止め構造は、図示した以外のものでも良い。
【００２６】
以上のように、本発明の携帯電話筐体用密封小蓋構造は、携帯電話の筐体１に形成されたコネクタ用開口部11を密封状に施蓋するための小蓋本体部21と、筐体１に接続される可撓性の薄板状のヒンジ部22と、小蓋本体部21の裏面21ｂ側に突設され外周面にＯリング30が嵌着されるシール用の環状凹溝23ｄを有する内突隆部23と、を熱可塑性エラストマー樹脂で一体成形する際に、内突隆部23の内部に硬質骨材29をインサート成形したので、また、係止爪部25と小蓋本体部21を同じ材質で一体樹脂成型しているので、開閉を繰り返し使用しても、材質の違いによる剥離や分離の発生が防がれ耐久性を向上できる。また、軟質な樹脂で一体成型することで、欠けや割れが防止できると共に、開閉する際の曲げやねじれによる応力集中が発生せず、繰り返し疲労による切断や折損等を防止できる。密封小蓋２を薄肉成型できる。また、内突隆部23と強度を持たせるために、肉厚を厚く成型する必要がなく、樹脂成型部分（小蓋本体部21、ヒンジ部22、内突隆部23、係止爪部25）を、均一な厚さで成型できクリープ現象や歪みを軽減し、寸法精度の高い密封小蓋２を得ることができる。内突隆部23の変形を防止でき、長期間にわたって、高い防水シール性能を維持し、水の浸入を確実に防止できる。
【００２７】
また、小蓋本体部21の表て面21ａ側に、二液硬化型塗料層を具備するので、美観に優れた密封小蓋２を得ることができる。携帯電話全体に高級感を演出できる。
【００２８】
また、上記熱可塑性エラストマー樹脂は、ポリウレタン系エラストマー樹脂又はポリエステル系エラストマー樹脂から成るので、十分な強度と柔軟性（可撓性）を有する密封小蓋２を得ることができる。大量生産に好適である。
【００２９】
また、硬質骨材29は、ポリカーボネート、又は、金属、又は、フィラー入り樹脂から成るので、硬質骨材29を適切な形状に容易にできると共にインサート成型を容易に行うことができる。
【符号の説明】
【００３０】
１  筐体
11  コネクタ用開口部  
21  小蓋本体部
21ａ  表て面
21ｂ  裏面
22  ヒンジ部
23  内突隆部
23ｄ  環状凹溝
29  硬質骨材
30  Ｏリング
【図１】
2011244247.tif 000003
【図２】
2011244247.tif 000004
【図３】
2011244247.tif 000005
【図４】
2011244247.tif 000006
【図５】
2011244247.tif 000007
【図６】
2011244247.tif 000008
【図７】
2011244247.tif 000009
【図８】
2011244247.tif 000010